(57)【要約】      （修正有）【課題】遮光と採光の切り替えが容易な建築用の建具を提供する。【解決手段】ガラス引き戸３と、ガラス引き戸３の移動に連動して移動可能にガラス引き戸の枠体２，４に固定したガラス戸棚１０と、を備えた。また、ガラス戸棚１０の底面にキャスター１９ａ，１９ｂ、戸車もしくはローラーを設けてもよい。ガラス戸棚１０の底面にフッ素樹脂膜が設けられていてもよい。【選択図】図１
0003184089.tif 000002
【実用新案登録請求の範囲】
【請求項１】
ガラス引き戸と、前記ガラス引き戸と並行して移動可能となるように前記ガラス引き戸の枠体に固定されたガラス戸棚と、を備えたことを特徴とする建築用の建具。
【請求項２】
前記ガラス戸棚の底面にキャスター、戸車もしくはローラーを設けたことを特徴とする請求項１記載の建築用の建具。
【請求項３】
前記ガラス戸棚の底面にフッ素樹脂膜が設けられていることを特徴とする請求項１記載の建築用の建具。
【請求項４】
前記ガラス戸棚は、少なくとも前面、及び背面にガラス板を有することを特徴とする請求項１から３の何れか一項記載の建築用の建具。
【考案の詳細な説明】
【技術分野】
【０００１】
本考案は、建築用の建具に関する。
【背景技術】
【０００２】
建築用の建具は、戸、障子、襖等、建物と外部、または建物の内部を仕切るために設けられ、開閉可能な物の総称である。
建具のうち、戸には回動式のドアと、摺動式の引き戸とがあり、多くの住宅に用いられている。
このうち引き戸には外部の景色が見えるようにしたガラス引き戸がある。
【０００３】
しかしながら、日差しが強かったり通行人と目があったりする場合にはカーテンを閉めたり、背の高い鉢植えを置いたりしなければならず不便である。
かかる問題点の解決を図った例として、特許文献１がある。
【先行技術文献】
【特許文献】
【０００４】
【特許文献１】実用新案登録第３０５８８８６号公報
【０００５】
特許文献１に記載の考案は、「キャスター付き家具」に関するものであり、家具の両側面板の背面側から背面板に亘って底板の下面に切欠部を設けると共に、切欠部に位置する底板の少なくとも背面側両端部にキャスターを回転自在に装着固定して成るものである。
この収納家具を引き戸の内側に配置し、日差しが強い時等には遮光のため引き戸の前に移動させ、景観を楽しむ時は引き戸の前から離れる位置に移動させることが考えられる。
【考案の概要】
【考案が解決しようとする課題】
【０００６】
しかしながら、特許文献１に記載の考案は、家具の移動を引き戸の開け閉めに応じてその都度行う必要があり、遮光と採光の切り替えのための取り扱いが面倒である。
【０００７】
本考案は、上記課題に鑑みてなされたもので、遮光と採光の切り替えが容易な建築用の建具の提供を目的とする。
【課題を解決するための手段】
【０００８】
かかる目的を達成するために、請求項１に係る考案は、ガラス引き戸と、前記ガラス引き戸の移動に連動して移動可能に前記ガラス引き戸の枠体に固定したガラス戸棚と、を備えたことを特徴とする。
【０００９】
請求項２に係る考案は、請求項１に係る考案において、前記ガラス戸棚の底面にキャスター、戸車もしくはローラーを設けたことを特徴とする。
【００１０】
請求項３に係る考案は、請求項１に係る考案において、前記ガラス戸棚の底面にフッ素樹脂膜が設けられていることを特徴とする。
【００１１】
請求項４に係る考案は、請求項１から３の何れか一項記載の考案において、前記ガラス戸棚は、前面、両側面、及び背面に透明部材を含むことを特徴とする。
【考案の効果】
【００１２】
本考案によれば、遮光と採光の切り替えが容易な建築用の建具の提供が可能となる。
【図面の簡単な説明】
【００１３】
【図１】一実施形態に係る建築用の建具の外観斜視図である。
【図２】図１に示した建築用の建具の拡散分解斜視図である。
【考案を実施するための形態】
【００１４】
図１は、一実施形態に係る建築用の建具の外観斜視図であり、図２は、図１に示した建築用の建具の拡散分解斜視図である。
尚、図１はガラス引き戸３を閉めた状態を示している。
［構  成］
本実施形態における建具２０は、ガラス引き戸３と、ガラス戸棚１０と、を有する。
ガラス戸棚１０は、例えば底板１２と、天板１１と、柱部材１４ａ、１４ｂ、１４ｃ、１４ｄと、引き戸１７ａ、１７ｂと、ガラス板１８ａ、１８ｂ、１８ｃと、キャスター１９ａ、１９ｂ、１９ｃ、１９ｄと、を有する。
【００１５】
底板１２上の四隅には柱部材１４ａ〜１４ｄの下端が固定され、柱部材１４ａ〜１４ｄの上端には天板１１の下面の四隅が固定されている。柱部材１４ａ〜１４ｄの中央には棚板１３が水平に固定されている。
天板１１、底板１２、及び柱部材１４ｃ、１４ｄが形成する前面には引き戸１７ａ、１７ｂが移動自在に設けられている。
引き戸１７ａは、枠体１５ａと、枠体１５ａにはめ込まれたガラス板１６ａと、を有し、引き戸１７ｂは、枠体１５ｂと、枠体１５ｂにはめ込まれたガラス板１６ｂと、を有する。
【００１６】
天板１１、底板１２、及び柱部材１４ａ、１４ｃが形成する左側面にはガラス板１８ａがはめ込まれている。天板１１、底板１２、及び柱部材１４ｂ、１４ｄが形成する右側面にはガラス板１８ａがはめ込まれている。天板１１、底板１２、及び柱部材１４ａ、１４ｂが形成する背面にはガラス板１８ｃがはめ込まれている。底板１２の下面にはキャスター１９ａ〜１９ｄが同一方向（ガラス引き戸３の移動方向と同一方向）に移動自在になるように取り付けられている。
【００１７】
ガラス戸棚１０の底板１２、天板１１、棚板１３，柱部材１４ａ、１４ｂ、１４ｃ、１４ｄの材質は、金属、樹脂、木製の何れであってもよく、これらを組み合わせてもよい。
【００１８】
ガラス引き戸３は、枠体４と、枠体４にはめ込まれたガラス板５と、を有するが、鍵６を有してもよい。ガラス引き戸３は、例えば玄関の壁部にはめ込まれ、枠体２内で移動自在な引き戸ユニット１の構成要素である。図中、７は玄関の壁の一部である。
枠体２、３の材質は、金属、木材、樹脂の何れであってもよい。
【００１９】
ガラス引き戸３にガラス戸棚１０が接合されているが、接合手段としては、接着剤による接合や釘や木ネジによる接合が挙げられるが、材質が金属の場合は接合面の溶接やロウ付け、リベットによるカシメを用いてもよい。
【００２０】
棚板１３の数は、図では１枚であるが本考案はこれに限定されるものではない。
【００２１】
キャスター１９ａ〜１９ｄの車輪を保持するΠ字断面構造の保持部は、底板１２の下面に回転不可に固定されており、ガラス戸棚１０がガラス引き戸３と並行に移動できるようになっている。キャスター１９ａ〜１９ｄの数は、図では４つであるが、本考案はこれに限定されるものではない。
【００２２】
尚、本実施形態では、ガラス戸棚１０の底板１２の下面にキャスター１９ａ〜１９ｄを取り付けているが、本考案はこれに限定されるものではなく、戸車を用いてもよく、フッ素樹脂膜を設けても良い。但し、戸車を用いる場合には、ガラス戸棚１０がガラス引き戸３並行に移動できるように取り付ける必要がある。
【００２３】
［作用効果］
本考案の建具２０は、通常の玄関のガラス引き戸３の枠体４に、キャスター１９ａ〜１９ｄを設けたガラス戸棚１０を接合した簡単な構成で、遮光と採光の切り替えが容易な建築用の建具の提供が可能となる。
すなわち、ガラス戸棚１０内に鉢植えの植物や置物を配置することができ、日差しの強いときに鉢植えの植物を置くことにより、遮光と景観を期待することができる。
また、本公案の建具２０は、ガラス引き戸３とガラス戸棚１０とで三重構造となっているため、断熱効果、遮音効果も期待できる。
【００２４】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
例えば、上述した実施の形態では、ガラス板を用いた場合で説明したが、本考案はこれに限定されるものではなく、アクリル板やポリカーボネート板等の透明樹脂半透明樹脂を用いても良い。また、ガラス戸棚は引き戸ではなく、回動式の戸を用いても良く、ガラス戸棚の背面のガラス板は無くてもよい。さらに、上記実施形態ではキャスターは保持部が固定された場合で説明したが、本考案はこれに限定されるものではなく、保持部が回転するものを用いてもよい。また、ガラス戸棚１０に開け閉め用のドアノブを設けてもよい。さらに、ガラス戸棚は、ガラス引き戸と同じ高さでなく、ガラス引き戸の中間にガラス引き戸より高さの短いものをガラス引き戸と連動するように固定してもよい。尚この場合には、キャスター等は用いないのは言うまでもない。
【符号の説明】
【００２５】
１    引き戸ユニット
２、４、１５ａ、１５ｂ    枠体
３    ガラス引き戸
５、１６ａ、１８ａ、１８ｂ、１８ｃ    ガラス板
６    鍵
７    壁
１０    ガラス戸棚
１１    天板
１２    底板
１３    棚板
１４ａ、１４ｂ、１４ｃ、１４ｄ    柱部材
１７ａ    引き戸
１９ａ、１９ｂ、１９ｃ、１９ｄ    キャスター
２０    建具
【図１】
0003184089.tif 000003
【図２】
0003184089.tif 000004